(57)【要約】【課題】移動体端末の位置に応じて柔軟に提示する情報を切り替える。【解決手段】複数の通信エリアで無線通信が可能な移動体端末１０であって、通信エリア毎に定められた優先順位を記憶する優先順位記憶部４０と、移動体端末が位置する通信エリアを取得する通信エリア取得部４６と、通信エリア取得部４６により取得された通信エリアについて優先順位記憶部に記憶された優先順位に基づいて、通信エリアに関連する通信エリア関連情報のうち少なくとも一部を並べ替えて提示する情報提示部４８と、を含む。【選択図】図３
2007180675.tif 000002
【特許請求の範囲】
【請求項１】
複数の通信エリアで無線通信が可能な移動体端末であって、
通信エリア毎に定められた優先順位を記憶する優先順位記憶手段と、
前記移動体端末が位置する通信エリアを取得する通信エリア取得手段と、
前記通信エリア取得手段により取得された通信エリアについて前記優先順位記憶手段に記憶された優先順位に基づいて、通信エリアに関連する通信エリア関連情報のうち少なくとも一部を並べ替えて提示する情報提示手段と、
を含むことを特徴とする移動体端末。
【請求項２】
請求項１に記載の移動体端末であって、
通信エリア毎に定められたキーワードを記憶するキーワード記憶手段をさらに含み、
前記情報提示手段は、
前記通信エリア取得手段により取得された通信エリアについて前記優先順位記憶手段に記憶された優先順位と、当該通信エリアについて前記キーワード記憶手段に記憶されたキーワードとに基づいて、前記通信エリア関連情報の並べ替え条件を生成する並べ替え条件生成手段を含み、
前記情報提示手段は、前記並べ替え条件生成手段により生成された並べ替え条件に従って、前記通信エリア関連情報のうち少なくとも一部を並べ替えて提示する
ことを特徴とする移動体端末。
【請求項３】
請求項１に記載の移動体端末であって、
前記情報提示手段は、前記移動体端末が優先順位の低い通信エリアから優先順位の高い通信エリアに移動したときには、前記通信エリア取得手段により取得された通信エリアのうち、優先順位の低い通信エリアに関連する情報を先に提示し、所定の時間が経過した後に、優先順位の高い通信エリアに関連する情報を提示する
ことを特徴とする移動体端末。
【請求項４】
請求項１乃至３のいずれかに記載の移動体端末であって、
前記通信エリア関連情報は、前記移動体端末に格納される電話帳情報とブックマーク情報のうち少なくとも１つを含む
ことを特徴とする移動体端末。
【請求項５】
複数の通信エリアで無線通信が可能なコンピュータの制御方法であって、
通信エリア毎に定められた優先順位を優先順位記憶手段に記憶するステップと、
前記移動体端末が位置する通信エリアを取得する通信エリア取得ステップと、
前記通信エリア取得ステップにより取得された通信エリアについて前記優先順位記憶手段に記憶された優先順位に基づいて、通信エリアに関連する通信エリア関連情報のうち少なくとも一部を並べ替えて提示する情報提示ステップと、
を含むことを特徴とするコンピュータの制御方法。
【請求項６】
複数の通信エリアで無線通信が可能なコンピュータを機能させるためのプログラムであって、
通信エリア毎に定められた優先順位を記憶する優先順位記憶手段、
前記移動体端末が位置する通信エリアを取得する通信エリア取得手段、及び、
前記通信エリア取得手段により取得された通信エリアについて前記優先順位記憶手段に記憶された優先順位に基づいて、通信エリアに関連する通信エリア関連情報のうち少なくとも一部を並べ替えて提示する情報提示手段、
としてコンピュータを機能させるためのプログラム。
【請求項７】
複数の通信エリアで無線通信が可能な移動体端末であって、
通信エリア毎に定められた優先順位を記憶する優先順位記憶手段と、
前記移動体端末が位置する通信エリアを取得する通信エリア取得手段と、
前記通信エリア取得手段により取得された通信エリアについて前記優先順位記憶手段に記憶された優先順位に基づいて、前記移動体端末の設定情報を切り替える手段と、
を含むことを特徴とする移動体端末。
【請求項８】
複数の通信キャリアを利用可能な移動体端末であって、
通信キャリア毎に定められた優先順位を記憶する優先順位記憶手段と、
前記優先順位記憶手段に記憶される優先順位に基づいて、前記移動体端末が利用する通信キャリアを探索する通信キャリア探索手段と、
前記通信キャリア探索手段により探索された通信キャリアに従って、前記移動体端末の設定情報を切り替える手段と、
を含むことを特徴とする移動体端末。
【発明の詳細な説明】
【技術分野】
【０００１】
本発明は、移動体端末の位置に応じて、情報を提示する技術に関する。
【背景技術】
【０００２】
近年では、ＰＨＳ、携帯電話等の移動体端末が位置する通信エリアに関する情報を取得し、その通信エリアに含まれるショップや飲食店等の情報を提示するサービスがある。例えば、従来では、特許文献１に記載されているように、通信エリア毎に関連する情報を対応付けておいて、移動体端末の通信エリアが切り替わると、その通信エリアに応じて提示する情報を切り替えているものがある。
【特許文献１】特開平７−２８４１４６号公報
【発明の開示】
【発明が解決しようとする課題】
【０００３】
しかしながら、従来の技術では、移動体端末の位置が複数の通信エリアに跨っている場合には、一方の通信エリアに関する情報しか提示されなかった。そのように、従来の技術では、提供される情報に柔軟性がなく、移動体端末の利用者の意向に必ずしも沿った情報が提示されていたわけではなかった。
【０００４】
本発明は上記の問題に鑑みてなされたものであって、その目的は、移動体端末の位置に応じて柔軟に提示する情報を切り替えることのできる移動体端末、コンピュータの制御方法及びプログラムを提供することにある。
【課題を解決するための手段】
【０００５】
上記課題を解決するために、本発明に係る移動体端末は、複数の通信エリアで無線通信が可能な移動体端末であって、通信エリア毎に定められた優先順位を記憶する優先順位記憶手段と、前記移動体端末が位置する通信エリアを取得する通信エリア取得手段と、前記通信エリア取得手段により取得された通信エリアについて前記優先順位記憶手段に記憶された優先順位に基づいて、通信エリアに関連する通信エリア関連情報のうち少なくとも一部を並べ替えて提示する情報提示手段と、を含むことを特徴とする。
【０００６】
また、本発明に係るコンピュータ（例えば移動体端末、ＰＤＡ、パーソナルコンピュータ、サーバコンピュータ、ゲーム機等である。以下、同様。）の制御方法は、複数の通信エリアで無線通信が可能なコンピュータの制御方法であって、通信エリア毎に定められた優先順位を優先順位記憶手段に記憶するステップと、前記移動体端末が位置する通信エリアを取得する通信エリア取得ステップと、前記通信エリア取得ステップにより取得された通信エリアについて前記優先順位記憶手段に記憶された優先順位に基づいて、通信エリアに関連する通信エリア関連情報のうち少なくとも一部を並べ替えて提示する情報提示ステップと、を含むことを特徴とする。
【０００７】
また、本発明に係るコンピュータを機能させるためのプログラムは、複数の通信エリアで無線通信が可能なコンピュータを機能させるためのプログラムであって、通信エリア毎に定められた優先順位を記憶する優先順位記憶手段、前記移動体端末が位置する通信エリアを取得する通信エリア取得手段、及び、前記通信エリア取得手段により取得された通信エリアについて前記優先順位記憶手段に記憶された優先順位に基づいて、通信エリアに関連する通信エリア関連情報のうち少なくとも一部を並べ替えて提示する情報提示手段、としてコンピュータを機能させるためのプログラムである。プログラムは、ＣＤ−ＲＯＭ（Compact Disk - Read Only Memory）、ＤＶＤ−ＲＯＭ（Digital Versatile Disk - Read Only Memory）、メモリカードその他のあらゆるコンピュータ読み取り可能な情報記憶媒体に格納することとしてもよい。
【０００８】
本発明では、移動体端末は、複数の通信エリアで無線通信を行う。移動体端末は、ＰＨＳや携帯電話等の通信機器である。そして、移動体端末は、通信エリア毎に優先順位を対応付けて内部メモリやメモリカード上に記憶しておく。移動体端末は、自身が位置する通信エリアを取得する。取得する通信エリアは複数であってもよい。そして、移動体端末は、取得した通信エリアに対応付けられた優先順位に基づいて、通信エリアに関連する通信エリア関連情報のうち少なくとも一部を並び替えてディスプレイに表示する。
【０００９】
本発明によると、移動体端末の位置する通信エリアとその優先順位に応じて、移動体端末が提示する情報を当該通信エリアに適した情報に柔軟に切り替えることができる。
【００１０】
また、本発明の一態様では、通信エリア毎に定められたキーワードを記憶するキーワード記憶手段をさらに含み、前記情報提示手段は、前記通信エリア取得手段により取得された通信エリアについて前記優先順位記憶手段に記憶された優先順位と、当該通信エリアについて前記キーワード記憶手段に記憶されたキーワードとに基づいて、前記通信エリア関連情報の並べ替え条件を生成する並べ替え条件生成手段を含み、前記情報提示手段は、前記並べ替え条件生成手段により生成された並べ替え条件に従って、前記通信エリア関連情報のうち少なくとも一部を並べ替えて提示することを特徴とする。こうすることで、移動体端末の位置する通信エリアに対応付けられた優先順位とキーワードとに基づいた情報の並び替えにより、移動体端末が提示する情報を当該通信エリアに適した情報に柔軟に切り替えることができる。
【００１１】
また、本発明の一態様では、前記情報提示手段は、前記移動体端末が優先順位の低い通信エリアから優先順位の高い通信エリアに移動したときには、前記通信エリア取得手段により取得された通信エリアのうち、優先順位の低い通信エリアに関連する情報を先に提示し、所定の時間が経過した後に、優先順位の高い通信エリアに関連する情報を提示することを特徴とする。こうすることで、移動体端末は、優先順位が低い方の通信エリアから、優先順位が高い方の通信エリアに移動する場合に、移動体端末が提示する情報を通信エリアに適した情報に柔軟に切り替えることができる。
【００１２】
また、本発明の一態様では、前記通信エリア関連情報は、前記移動体端末に格納される電話帳情報とブックマーク情報のうち少なくとも１つを含むことを特徴とする。こうすることで、移動体端末は、電話帳情報とブックマーク情報のうち少なくとも１つを含む情報について、移動体端末の位置する通信エリアに応じて、提示する情報を切り替えることができる。
【００１３】
また、本発明に係る移動体端末は、複数の通信エリアで無線通信が可能な移動体端末であって、通信エリア毎に定められた優先順位を記憶する優先順位記憶手段と、前記移動体端末が位置する通信エリアを取得する通信エリア取得手段と、前記通信エリア取得手段により取得された通信エリアについて前記優先順位記憶手段に記憶された優先順位に基づいて、前記移動体端末の設定情報を切り替える手段と、を含むことを特徴とする。
【００１４】
本発明によると、移動体端末は、自身が位置する通信エリアと、その通信エリアに定められた優先順位とに基づいて、移動体端末の設定情報を切り替えることができる。
【００１５】
また、本発明に係る移動体端末は、複数の通信キャリアを利用可能な移動体端末であって、通信キャリア毎に定められた優先順位を記憶する優先順位記憶手段と、前記優先順位記憶手段に記憶される優先順位に基づいて、前記移動体端末が利用する通信キャリアを探索する通信キャリア探索手段と、前記通信キャリア探索手段により探索された通信キャリアに従って、前記移動体端末の設定情報を切り替える手段と、を含むことを特徴とする。
【００１６】
本発明によると、移動体端末は、利用可能な通信キャリアを探索し、探索された通信エリアのうちから、予め定められた優先順位に基づいて、移動体端末の設定情報を切り替えることができる。
【発明を実施するための最良の形態】
【００１７】
以下、本発明の好適な実施形態について図面に基づいて詳細に説明する。
【００１８】
図１には、本発明の実施の形態に係る移動体端末の動作を説明する図を示す。図１に示す１０は移動体端末、１０１，１０２は、それぞれ通信エリアＡ１、通信エリアＡ２である。また、２０１，２０２，２０３は、それぞれ移動体端末１０の位置Ｐ１、位置Ｐ２、位置Ｐ３であり、３０１，３０２，３０３は、それぞれ移動体端末１０の表示画面Ｄ１、表示画面Ｄ２、表示画面Ｄ３である。
【００１９】
通信エリアはそれぞれ、予め定められた地域内に存在する基地局により無線通信がカバーされる通信範囲である。上記の地域内には、基地局が１つであることとしてもよいし、複数あることとしてもよい。
【００２０】
図１では、ユーザが携帯する移動体端末１０が位置Ｐ１、Ｐ２、Ｐ３と移動する様子を示している。図１に示されるように、位置Ｐ１は、通信エリアＡ１に含まれる位置である。そして、位置Ｐ２は、通信エリアＡ１とＡ２の両方に含まれる位置である。また、位置Ｐ３は、通信エリアＡ２に含まれる位置である。
【００２１】
本発明の実施の形態に係る移動体端末１０では、移動体端末１０の位置がＰ１，Ｐ２，Ｐ３と移動するにつれて、移動体端末１０のディスプレイに表示される情報が、表示画面Ｄ１，Ｄ２，Ｄ３にそれぞれ切り替わって提示される。
【００２２】
表示画面Ｄ１，Ｄ２，Ｄ３で表示されている情報は、ブックマーク情報である。図１の３０１，３０２，３０３においては、ＵＲＬ１（http://www.kanagawa）、ＵＲＬ２（http://www.yokohama）、ＵＲＬ３（http://www.abc）、ＵＲＬ４（http://www.tokyo）を表示している。位置Ｐ１で表示される表示画面Ｄ１では、位置Ｐ１の属する通信エリアＡ１に関連するキーワード「Ｋａｎａｇａｗａ」又は「Ｙｏｋｏｈａｍａ」を含むＵＲＬ１、ＵＲＬ２が上位に表示される。関連するキーワードを含まないＵＲＬについては、アルファベット順に表示される。また、位置Ｐ２で表示される表示画面Ｄ２では、位置Ｐ２の属する通信エリアＡ１，Ａ２に関連するキーワード「Ｋａｎａｇａｗａ」、「Ｙｏｋｏｈａｍａ」、「Ｔｏｋｙｏ」を含むＵＲＬ１、ＵＲＬ２、ＵＲＬ４が上位に表示される。本実施形態では、通信エリアＡ１よりも通信エリアＡ２に関連する情報の方を優先順位を上げることとして、ＵＲＬ４をＵＲＬ１，２よりも上位に表示することとする。そして、位置Ｐ３で表示される表示画面Ｄ３では、位置Ｐ３の属する通信エリアＡ２に関連するキーワード「Ｔｏｋｙｏ」を含むＵＲＬ４が上位に表示される。
【００２３】
以上の処理を実現するために、本発明の実施の形態に係る移動体端末１０が備える構成を以下に説明する。
【００２４】
図２には、移動体端末１０のハードウェア構成図を示す。図２に示されるように、移動体端末１０は、物理的構成として、無線アンテナ２０、無線通信部２１、プロセッサ２２、揮発性メモリ２４、メモリカードインターフェース２６、ＳＩＭカード２７、不揮発性メモリ２８、入力部３０とディスプレイ３２を含む。無線通信部２１、プロセッサ２２、揮発性メモリ２４、メモリカードインターフェース２６、不揮発性メモリ２８、入力部３０とディスプレイ３２とはバス３４を介して相互に通信可能に接続される。
【００２５】
無線アンテナ２０は、無線信号を通信するためのアンテナである。無線通信部２１は、無線アンテナ２０を介して、基地局と通信を行う。
【００２６】
プロセッサ２２は、図示しないＲＯＭに格納される制御プログラムや不揮発性メモリ２８、揮発性メモリ２４から読み出されるプログラムに基づいて、移動体端末１０の各部を制御する。また、揮発性メモリ２４は、プログラムやデータが必要に応じて書き込まれるとともに、プロセッサ２２の作業用としても用いられる。不揮発性メモリ２８には、電話帳情報、ブックマーク情報やメールボックス等の情報が格納される。
【００２７】
メモリカードインターフェース２６は、ＳＩＭカード２７のインターフェースとして機能するハードウェアである。ＳＩＭカードは、キャリアまたはサービスプロバイダにより提供され、移動体端末１０の契約者のアカウント情報およびネットワーク情報が記録される。ＳＩＭカード２７は、移動体端末１０から着脱可能であり、他の移動体端末にも装着することができる。またＳＩＭカードには、ある程度のメモリも搭載されており、設定情報が記憶される。ＳＩＭカードには、ＧＳＭの規格における「PLMN selector」や、「Higher Priority PLMN search period」と呼ばれる変数に情報が格納される。例えば、「PLMN selector」には、制御チャネル番号、キャリアコード、国番号を示す情報が格納され、「Higher Priority PLMN search period」には、通信キャリアの探索を行う時間間隔を指定する情報等が格納される。
【００２８】
入力部３０は、数字入力のボタン、方向入力のボタンやエンターキーから構成される入力手段である。また、数字入力のキーはアルファベットに対応づけられており、文字入力が可能となる。移動体端末１０の利用者は、入力部３０により、移動体端末１０を操作可能である。また、移動体端末１０の利用者は、入力部３０により、移動体端末１０に情報を設定したり、格納された情報を編集したりすることができる。
【００２９】
ディスプレイ３２は、移動体端末１０が処理した情報を出力する出力インターフェースである。
【００３０】
図３には、移動体端末１０の機能ブロック図を示す。図３に示されるように、移動体端末１０は、機能的には、優先順位記憶部４０、キーワード記憶部４２、通信エリア関連情報記憶部４４、通信エリア取得部４６と情報提示部４８を含み構成される。情報提示部４８はさらに、並び替え条件生成部５０、並び替え処理部５２と表示部５４を含む。各部の詳細について、以下に説明する。
【００３１】
優先順位記憶部４０は、通信エリア毎に定められた優先順位を記憶する機能を有する。優先順位記憶部４０は、例えば、図４（Ａ）に示されるように、優先順位と通信エリアとを対応付けて記憶する。この例では、通信エリアＡ２を優先順位１、通信エリアＡ１を優先順位２として記憶している。優先順位記憶部４０は、ＳＩＭカード２７のメモリにより以下のように実現されることとしてもよい。ＳＩＭカード２７に２４ビットの「PLMN selector」がＮ（Ｎは２以上の自然数）個格納できるとする。その場合に、「PLMN selector」に通信エリアを示す情報を格納し、各通信エリアの優先順位は、「PLMN selector」の変数に振られた番号（上記例では、１からＮ）で指定することとする。つまり、図４（Ａ）の例では、１つ目の「PLMN selector」に通信エリアＡ２、２つ目の「PLMN selector」に通信エリアＡ１を示す情報を格納する。優先順位の最後（Ｎ）には、通信エリアＡｎが対応づけられているが、Ａｎは特定の通信エリアを示すこととしてもよいし、通信エリアＡ１からＡｎ−１以外の全ての通信エリアを示すこととしてもよい。
【００３２】
キーワード記憶部４２は、通信エリア毎に定められたキーワードを記憶する機能を有する。キーワード記憶部４２は、例えば、図４（Ｂ）に示されるように、通信エリアとキーワードとを対応付けて記憶する。この例では、通信エリアＡ１にキーワード「Ｋａｎａｇａｗａ」、「Ｙｏｋｏｈａｍａ」を、通信エリアＡ２にキーワード「Ｔｏｋｙｏ」を対応づけて記憶している。キーワード記憶部４２は、移動体端末１０の不揮発性メモリ２８により実現されることとしてもよいし、ＳＩＭカード２７のメモリにより実現されることとしてもよい。また、キーワード記憶部４２に記憶されるキーワードは、移動体端末１０の利用者が入力部３０を操作して、編集できることとしてもよい。
【００３３】
通信エリア関連情報記憶部４４は、通信エリアに関連する通信エリア関連情報を記憶する機能を有する。本実施形態では、通信エリア関連情報は、ブックマーク情報であることとするが、これに限られるものではなく、電話帳情報や通信エリアに関連する様々なサービス情報であってもよい。通信エリア関連情報記憶部４４は、移動体端末１０の不揮発性メモリ２８により実現される機能である。通信エリア関連情報記憶部４４で記憶されるブックマーク情報としては、図１で示されるようなＵＲＬ１、ＵＲＬ２等のリンク情報が記憶される。また、通信エリア関連情報記憶部４４では、ＵＲＬを示すリンク情報以外にも、各ＵＲＬを説明する説明情報を併せて記憶することとしてもよい。通信エリア関連情報記憶部４４に記憶されるブックマーク情報は、移動体端末１０の利用者により追加、編集されることとしてもよい。
【００３４】
通信エリア取得部４６は、移動体端末１０が位置する通信エリアを取得する機能を有する。通信エリア取得部４６は、移動体端末１０の無線アンテナ２０、無線通信部２１、プロセッサ２２、ＳＩＭカード２７により実現される機能である。移動体端末１０のプロセッサ２２は、ＳＩＭカード２７に格納された８ビットの「Higher Priority PLMN search period」の値を取得し、この値に基づいて得た時間（分）を時間間隔とする。そして、プロセッサ２２は、上記取得した時間間隔おきに通信エリアの取得を実行する。そして、プロセッサ２２は、無線通信部２１により無線アンテナ２０を介して基地局と通信し、基地局から制御情報を取得する。プロセッサ２２は、取得した制御情報に含まれるエリアＩＤに基づいて通信エリアを取得する。なお、通信エリアは、複数取得されることとしてもよい。具体的に、移動体通信部が位置Ｐ２にあるとすると、通信エリア取得部４６は、通信エリアＡ１と通信エリアＡ２の両方のエリアＩＤを取得する。
【００３５】
並び替え条件生成部５０は、通信エリア取得部４６により取得された通信エリアの優先順位とキーワードとに基づいて、移動体端末１０に格納される通信エリア関連情報の並べ替え条件を生成する機能を有する。並び替え条件生成部５０は、移動体端末１０のプロセッサ２２、揮発性メモリ２４、ＳＩＭカード２７、不揮発性メモリ２８により実現される機能である。移動体端末１０のプロセッサ２２は、通信エリア取得部４６により取得された通信エリアをキーとして、通信エリアの優先順位情報が格納されるＳＩＭカード２７と、通信エリアに対応付けられたキーワードが格納される不揮発性メモリ２８から、通信エリアの優先順位とキーワードを取得し、揮発性メモリ２４に格納する。そして、プロセッサ２２は、通信エリアが複数取得された場合には、優先順位の高い通信エリアのキーワードから順に優先度を設定したソートキーを生成して、このソートキーを並び替え条件として、不揮発性メモリ２８に格納する。具体的に、移動体端末１０が位置Ｐ２にあるとすると、並び替え条件生成部５０は、通信エリアＡ１の優先順位（２）、キーワード「Ｋａｎａｇａｗａ」、「Ｙｏｋｏｈａｍａ」と、通信エリアＡ２の優先順位（１）、キーワード「Ｔｏｋｙｏ」とから、優先度１のソートキー「Ｔｏｋｙｏ」と優先度２のソートキー「Ｋａｎａｇａｗａ」、「Ｙｏｋｏｈａｍａ」を生成して、揮発性メモリ２４に格納する。
【００３６】
並び替え処理部５２は、並べ替え条件生成部５０により生成された並べ替え条件に従って、通信エリア関連情報を並べ替える機能を有する。並び替え処理部５２は、移動体端末１０のプロセッサ２２、揮発性メモリ２４、不揮発性メモリ２８により実現される機能である。移動体端末１０のプロセッサ２２は、揮発性メモリ２４に格納される、優先度が設定されたソートキーを取得する。また、プロセッサ２２は、不揮発性メモリ２８からブックマーク情報を取得する。そして、プロセッサ２２は、ソートキーに基づいて、通信エリア関連情報の並び替えを行う。プロセッサ２２は、優先度の最も低いソートキーに基づいて並び替えを実行し、その処理結果を次に優先度の高いソートキーにより並び替えるという処理を、優先度が最も高いソートキーに達するまで繰り返す。なお、並び替えに用いる手法は、ヒープソートやバブルソート等の公知の手法を用いることとしてよい。プロセッサ２２は、並び替えの結果を、揮発性メモリ２４に書き込んで処理を終了する。具体的に、移動体端末１０が位置Ｐ２にあるとすると、並び替え処理部５２は以下のような処理を行う。プロセッサ２２は、揮発性メモリ２４から、優先度１のソートキー「Ｔｏｋｙｏ」と優先度２のソートキー「Ｋａｎａｇａｗａ」、「Ｙｏｋｏｈａｍａ」を取得する。そして、プロセッサ２２は優先度の低いソートキー「Ｋａｎａｇａｗａ」、「Ｙｏｋｏｈａｍａ」に基づいて、全ブックマーク情報を並び替える。そして、プロセッサ２２はさらにその並び替え結果を優先度の高いソートキー「Ｔｏｋｙｏ」で並び替えて、その並び替え結果を揮発性メモリ２４に格納する。
【００３７】
表示部５４は、並び替え処理部５２で並び替えられたブックマーク情報のうち少なくとも一部を出力表示する機能を有する。表示部５４は、移動体端末１０のディスプレイ３２により実現される機能である。本実施形態では、移動体端末１０の位置がＰ１、Ｐ２、Ｐ３と移り変わるにつれて、各位置の通信エリアに基づいた通信関連情報の並び替え処理の結果に基づいて、移動体端末１０のディスプレイ３２には、Ｄ１、Ｄ２、Ｄ３の画面が表示される。
【００３８】
以下、本発明の実施の形態に係る移動体端末１０の情報提示処理の詳細について説明する。
【００３９】
図５には、移動体端末１０の情報提示処理のフロー図を示す。図５に示されるように、移動体端末１０は、ＳＩＭカード２７に格納されたサーチ時間間隔（「Higher Priority PLMN search period」）の値に基づいて通信エリアを取得する時間間隔を設定する。そして、移動体端末１０は、設定された時間間隔が経過したか否かを判断する（Ｓ１０１）。Ｓ１０１で設定された時間間隔が経過したと判断される場合には（Ｓ１０１；Ｙ）、移動体端末１０は通信エリアの取得を行う（Ｓ１０２）。通信エリアは、移動体端末１０が通信する基地局から送信される制御情報に基づいて取得される。Ｓ１０２の処理は、移動体端末１０の通信エリア取得部４６により行われる。そして、移動体端末１０は、ＳＩＭカード２７や不揮発性メモリ２８にアクセスして、取得した通信エリアの優先順位とキーワードとを取得する（Ｓ１０３）。移動体端末１０は、通信エリアの優先順位とキーワードとに基づいて、不揮発性メモリ２８に格納されたブックマーク情報の並び替え条件を生成する（Ｓ１０４）。Ｓ１０４の処理は、移動体端末１０の並び替え条件生成部５０により行われる。そして、移動体端末１０は、生成した並び替え条件に従って、ブックマーク情報の並び替えを行う（Ｓ１０５）。Ｓ１０５の処理は、移動体端末１０の並び替え処理部５２により行われる。そして、移動体端末１０は、並び替えたブックマーク情報をディスプレイ３２に表示する（Ｓ１０６）。
【００４０】
以上説明した本発明の実施の形態に係る移動体端末によれば、移動体端末の位置する通信エリアに設定された優先順位とキーワードとに基づいて、移動体端末の位置に応じて柔軟に提示する情報を切り替えることができる。
【００４１】
なお、本発明は上記実施形態に限定されるものではない。
【００４２】
上記実施形態において、移動体端末が、優先順位の低い通信エリアから優先順位の高い通信エリアに移動した場合に、通信エリア取得部４６により取得された通信エリアのうち、優先順位の低い通信エリアに関連する情報を先に提示し、所定の時間が経過した後に、優先順位の高い通信エリアに関連する情報を提示することとしてもよい。また、この場合においてさらに、移動体端末の位置が３つ以上の通信エリアに跨る場合には、所定の時間が経過する毎にそれぞれの通信エリアに関連する情報を表示することとしてもよい。
【００４３】
上記実施形態においては、移動体端末が位置する現在の通信エリアの優先順位に基づいてブックマーク情報を並び替えて提示しているが、移動体端末がそれまでに位置してきた通信エリアの履歴にも基づいて情報を提示することとしてもよい。その場合には、現在位置している通信エリアの優先順位を１とすると、直前に位置していた通信エリアの優先順位を２、その前に位置していた通信エリアの優先順位を３・・・、のように設定することとしてもよい。具体例を挙げて説明すると、上記実施形態において、移動体端末１０が位置Ｐ３にある場合に、移動体端末１０が現在位置する通信エリアＡ２に加えて、移動体端末がその前に位置していた通信エリアＡ１に関連する情報を上位に提示することとしてもよい。この場合には、ブックマーク情報を、通信エリアＡ２に関連するキーワード「Ｔｏｋｙｏ」に基づいてＵＲＬ４を最上位に、通信エリアＡ１に関連するキーワード「Ｋａｎａｇａｗａ」、「Ｙｏｋｏｈａｍａ」に基づいてＵＲＬ１，２をその次に並び替えて表示することとしてもよい。
【００４４】
また、上記実施形態において、通信エリア関連情報を移動体端末の利用者の所期の並び替え条件で並び替えて表示できることとしてもよい。そして、移動体端末が位置する通信エリアに応じて並び替えて提示した通信エリア関連情報を、移動体端末の利用者の所期の並び替え条件で再度並び替えて表示できることとしてもよい。また、利用者の所期の並び替え条件で再度並び替えて表示した後に、所定の条件下で（例えば、一定時間が経過する、又は、移動体端末の所定のボタンが押下される）、移動体端末が位置する通信エリアに応じて並び替えられた通信エリア関連情報を再表示することとしてもよい。
【００４５】
また、上記実施形態においては、移動体端末が取得した通信エリアについて記憶された優先順位に基づいて並べ替えた情報を提示することとしているが、これに限られるものではない。例えば、通信エリア毎に移動体端末の設定情報を対応付けておいて、移動体端末が位置する通信エリアについて記憶された優先順位に基づいて、移動体端末の設定情報を切り替えることとしてもよい。移動体端末の設定情報は、例えば、着信音の種類や音量等を設定する音設定情報、マナーモード等の動作モードのＯＮ／ＯＦＦを設定するモード設定情報、移動体端末のボタン操作や一部又は全部の機能の利用の可否を設定する使用制限項目設定情報、利用する通信キャリアに応じて設定する通信キャリア設定情報等の移動体端末に設定される各種の設定情報の少なくとも一部よりなる設定情報であることとしてよい。
【００４６】
次に、本発明の第２の実施形態に係る移動体端末について説明する。
【００４７】
第２の実施形態に係る移動体端末の動作の概要を以下に説明する。第２の実施形態に係る移動体端末は、複数の通信キャリアが利用できる。そして、移動体端末には、通信キャリア毎に優先順位が記憶される。移動体端末は、記憶された優先順位に基づいて通信キャリが利用可能か否かの探索を行い、複数の通信キャリアが利用可能であった場合には、優先順位のなるべく高いものを選択する。そして、移動体端末は、選択した通信キャリアに伴って設定内容を変更する。移動体端末では、設定内容の変更に応じてディスプレイに表示される情報や、着信音等が変更される。
【００４８】
以上の処理を実現するために第２の実施形態に係る移動体端末が備える構成を説明する。図６には、第２の実施形態に係る移動体端末１１の機能ブロック図を示す。図６に示されるように、移動体端末１１は、機能的には、通信キャリア優先順位記憶部６０、通信キャリア探索部６２、設定情報記憶部６４、設定情報切替部６６と表示部５４を含み構成される。なお、移動体端末１１の物理的な構成は、移動体端末１０と同一のものとしてよい。以下、各部の詳細について説明する。
【００４９】
通信キャリア優先順位記憶部６０は、通信キャリア毎に定められた優先順位を記憶する機能を有する。通信キャリア優先順位記憶部６０は、優先順位と通信エリアとを対応付けて記憶する。通信キャリア優先順位記憶部６０は、ＳＩＭカード２７のメモリにより実現されることとしてもよい。その場合に、ＳＩＭカード２７に格納される「PLMN selector」に通信キャリアを示す情報を格納し、各通信エリアの優先順位を、「PLMN selector」の物理的な番号順により決定することとしてもよい。
【００５０】
通信キャリア探索部６２は、通信キャリア優先順位記憶部６０に記憶される優先順位に基づいて、移動体端末１１が現在利用可能な通信キャリアを探索する機能を有する。通信キャリア探索部６２は、移動体端末１１の無線アンテナ２０、無線通信部２１、プロセッサ２２、ＳＩＭカード２７により実現される機能である。プロセッサ２２は、ＳＩＭカード２７に格納された優先順位の高い順に通信キャリアの情報を読み込んで制御チャンネルを設定し、無線通信部２１により無線アンテナ２０を介して基地局と通信を試みる。そして、プロセッサは、基地局との通信が確立されるまで、優先順位の高い順に通信キャリアの情報を読み込んで上記処理を繰り返す。
【００５１】
設定情報記憶部６４は、通信キャリア毎に設定情報を記憶する機能を有する。設定情報記憶部６４は、不揮発性メモリ２８により実現される機能である。設定情報記憶部６４では、通信キャリアに対応付けて、設定情報が格納される設定ファイル名を記憶しておくこととしてもよい。
【００５２】
設定情報切替部６６は、通信キャリア探索部６２により探索された通信キャリアについて通信キャリア優先順位記憶部６０に記憶された優先順位に基づいて、移動体端末１１の設定情報を切り替える機能を有する。移動体端末１１のプロセッサ２２、ＳＩＭカード２７、不揮発性メモリ２８により実現される機能である。移動体端末１１のプロセッサ２２は、通信キャリア探索部６２により複数の通信キャリアが探索された場合に、通信キャリアの優先順位情報が格納されるＳＩＭカード２７から、各通信キャリアの優先順位を取得する。そして、プロセッサ２２は、優先順位の最も高い通信キャリアに対応付けられた設定情報を不揮発性メモリ２８から読み込んで設定する。
【００５３】
表示部５４は、移動体端末１１のディスプレイ３２により実現される機能であり、本実施形態では、設定情報が切り替わるとともに、表示される情報（例えば、現在どの通信キャリアを利用しているのか等）を切り替えて表示する。
【００５４】
図７には、移動体端末１１の設定情報の切替処理についてのフロー図を示す。図７に示されるように、移動体端末１１は、ＳＩＭカード２７に格納された「Higher Priority PLMN search period」の値に基づいて通信キャリアを探索する時間間隔を設定する。そして、移動体端末１１は、設定された時間間隔が経過したか否かを判断する（Ｓ２０１）。Ｓ２０１で設定された時間間隔が経過したと判断される場合には（Ｓ２０１；Ｙ）、移動体端末１１は現在利用している通信キャリアの情報を取得する（Ｓ２０２）。そして、移動体端末１１は、取得した通信キャリアの優先順位が１である場合には（Ｓ２０３；Ｙ）、Ｓ２０１の処理に戻る。また、移動体端末１１は、Ｓ２０３において取得した通信キャリアの優先順位が１でない場合には（Ｓ２０３；Ｎ）、ＳＩＭカード２７に格納される優先順位に従って通信キャリアの探索を行う（Ｓ２０４）。そして、通信キャリアの探索により利用可能な通信キャリアが探索された場合には、探索された通信キャリアに応じた設定情報に移動体端末１１の設定を切り替える（Ｓ２０５）。そして、移動体端末１１は、切り替えた設定情報に応じた情報をディスプレイ３２に表示する（Ｓ２０６）。
【００５５】
以上説明した本発明の実施の形態に係る移動体端末によれば、移動体端末が利用可能な通信キャリアに設定された優先順位に基づいて、移動体端末の設定情報を切り替えて利用者に情報を提示するため、利用者の意向に沿った形で通信キャリアを利用し、また情報を提示することができる。
【００５６】
また、上記の第２の実施形態において、移動体端末の設定情報が切り替わると、表示部５４で表示される情報を切り替えているが、これに限られるものではなく、設定情報が切り替わったことを表示部５４における表示とともに、または表示に代わって、移動体端末が音を発したり振動したりすることで利用者に通知することとしてもよい。
【図面の簡単な説明】
【００５７】
【図１】本発明の実施の形態に係る移動体端末の動作説明図である。
【図２】移動体端末のハードウェア構成図である。
【図３】移動体端末の機能ブロック図である。
【図４】移動体端末に格納される優先順位データとキーワードデータの一例を示す図である。
【図５】移動体端末における情報提示処理のフロー図である。
【図６】第２の実施形態に係る移動体端末の機能ブロック図である。
【図７】第２の実施形態に係る移動体端末における設定情報切替処理のフロー図である。
【符号の説明】
【００５８】
１０  移動体端末、１１  移動体端末（第２の実施形態）、２０  無線アンテナ、２１  無線通信部、２２  プロセッサ、２４  揮発性メモリ、２６  メモリカードインターフェース、２７  ＳＩＭカード、２８  不揮発性メモリ、３０  入力部、３２  ディスプレイ、３４  バス、４０  優先順位記憶部、４２  キーワード記憶部、４４  通信エリア関連情報記憶部、４６  通信エリア取得部、４８  情報提示部、５０  並び替え条件生成部、５２  並び替え処理部、５４  表示部、６０  通信キャリア優先順位記憶部、６２  通信キャリア探索部、６４  設定情報記憶部、６６  設定情報切替部、１０１  エリアＡ１、１０２  エリアＡ２、２０１  位置Ｐ１、２０２  位置Ｐ２、２０３  位置Ｐ３、３０１  表示画面Ｄ１、３０２  表示画面Ｄ２、３０３  表示画面Ｄ３。
【図１】
2007180675.tif 000003
【図２】
2007180675.tif 000004
【図３】
2007180675.tif 000005
【図４】
2007180675.tif 000006
【図５】
2007180675.tif 000007
【図６】
2007180675.tif 000008
【図７】
2007180675.tif 000009